(57)【特許請求の範囲】
【請求項１】
表表紙２と背表紙３と裏表紙４とからなるくるみ表紙１の前記表表紙２又は裏表紙４のいずれか一方内面に一体的に取り付けられた立体立ち起こし乃至平坦折り畳み可能な平行四辺形筒体２１と、該筒体２１の上面板に取り付けた背部１３に外折れヒンジ板１６を備える冊子体１１とにより構成され、立体立ち起こし時の前記平行四辺形筒体２１の筒体厚さｈと前記冊子体１１の冊子厚さｔとの関係が、ほぼｈ＝ｔに設定されていることを特徴とする製本類。
【請求項２】
平坦折り畳み時の前記平行四辺形筒体２１の平坦折り畳み方向のサイズと、前記冊子体１１の小口方向のサイズがほぼ同じである請求項１記載の製本類。
【請求項３】
前記冊子体１１が、ｎ枚の各々二つ折り紙葉１１-1、１１-2、１１-3、・・・１１-nを互いにその折目を揃えて重ね合わせ貼着した合紙体の背部１３側より先頭紙葉１１-1と末尾紙葉１１-nとに亘って連続被覆した紙葉１５を前記背部１３部分と該背部幅ｄと同一幅の背部側の先頭紙葉１１-1部分とを非貼着領域ｅとしてそれ以外の被覆領域の前記先頭紙葉１１-1と末尾紙葉１１-nとに貼着して形成される外折れヒンジ板１６を備えた合紙頁１２-1、１２-2、１２-3、・・・１２-(n+1)により構成される合紙冊子体である請求項１又は請求項２記載の製本類。
【請求項４】
前記表表紙２又は裏表紙４のいずれか一方若しくは両方の小口側又は天地側の端縁部が、前記冊子体１１の端縁部より外側に延設されている請求項１乃至請求項３記載の製本類。
【発明の詳細な説明】
【０００１】
【発明の属する技術分野】
本発明は、絵本やカラオケ本など各種の出版本として製本される合紙本をはじめとした製本類に関する。
【０００２】
【従来の技術】
従来、絵本をはじめとする各種の合紙本が出版本として出版されているが、合紙本は、適宜枚数の二つ折りした厚紙紙葉を、互いにその折目を揃えて重ね合わせて貼着して合紙体を作製し、その合紙体の背部側より先頭の二つ折り紙葉と末尾の二つ折り紙葉とに亘って、別の厚紙を連続被覆して貼着することによって製本される。
【０００３】
合紙本は、このように二つ折りした厚紙を互いにその外面同士で重ね合わせ貼着して頁紙葉を作製することによって、同時に１冊の綴じられた剛性のある本として製本されるものであるが、合紙された各頁紙葉を順に捲っていった際に、その捲った頁紙葉の背部側が捲る前の頁紙葉の背部と対向するように向き合うために次の頁紙葉が持ち上がって、捲った頁紙葉と次の頁紙葉による見開き２ページ分の開頁角度が１８０°の平坦な状態に開放できない欠点があった。
【０００４】
そこで、見開きの２枚のページが全てのページに亘って１８０°の角度で平坦に開放できるような合紙本が開発されており、非常に捲りやすく見やすい合紙本として注目されている。
【０００５】
例えば、図５の側面図に示すような合紙本Ｃはその従来例であり、表表紙３２と背表紙３３と裏表紙３４とからなるくるみ表紙３１を備え、その表表紙３２又は裏表紙３４のいずれか一方内面には一体的に厚紙若しくは発泡スチロール等の厚い台材Ｄが取り付けられている。
【０００６】
そして，その台材Ｄの上面には、適宜枚数の二つ折りした厚紙紙葉を互いにその折目を揃えて重ね合わせて貼着した合紙体の背部側より先頭の二つ折り紙葉と末尾の二つ折り紙葉とに亘って別の厚紙を連続被覆して貼着することによって製本された、例えば５枚の合紙頁紙葉による合紙冊子体４１が一体的に取り付けられている。
【０００７】
該合紙冊子体４１には、図５に示すように背部４３側より先頭の二つ折り紙葉と末尾の二つ折り紙葉とに亘って外折れヒンジ板としての１枚の厚紙紙葉４５が先頭頁紙葉４２-1の背部側から背部４３に亘って非貼着領域ｅを形成した状態で被覆貼着されている。
【０００８】
図５に示す合紙本は、図６（ａ）に示すように先ず表表紙３２を開放した後に先頭頁紙葉４２-1を捲ると、該先頭頁紙葉４２-1の厚紙４１-1に合紙されている他の１枚の厚紙紙葉４５は非貼着領域ｅによって外方に折り曲げ分離し、また次の頁紙葉４２-2は背部１３にて１枚の厚紙４１-1によって互いに連結しているだけであるために開き易くなっており、次の頁紙葉４２-2は持ち上がることなく、先頭頁紙葉４２-1は次の頁紙葉４２-2に対してほぼ１８０°の角度で平坦に円滑に開放できるようになっている。
【０００９】
また、先頭頁紙葉４２-1を捲ることによって外方に折り曲げられ分離した厚紙紙葉４５（外折れヒンジ板４６）は、台材Ｄの厚さによって表表紙３２から所定の間隔を以て分離しているためにスペースが確保されて表表紙３２とは接触せず先頭頁紙葉４２-1を水平状態に捲ることができる。
【００１０】
次に頁紙葉４２-2を捲ると、該頁紙葉４２-2の厚紙４１-1に合紙されている次の頁紙葉４２-3の他の１枚の厚紙は背部４３にて１枚の厚紙によって互いに連結しているだけであるために前記同様に開き易くなっており、次の頁紙葉４２-3は持ち上がることなく、頁紙葉４２-2は次の頁紙葉４２-3に対してほぼ１８０°の角度で平坦に円滑に開放でき、また、厚紙紙葉４５（外折れヒンジ板４６）は一層鋭角に外方に折り曲げられて突出するものの、台材Ｄの厚さによって表表紙３２から所定の間隔を以て分離しているためにスペースが確保されて表表紙３２とは接触せず頁紙葉４２-2、４２-3を互いに１８０°の水平状態に捲ることができる。
【００１１】
そして次の頁紙葉４２-3、４２-4を捲る際にも同様に次の頁紙葉に対してほぼ１８０°の角度で平坦に円滑に開放でき、また、各頁紙葉を捲る毎に外方に向かって折り曲げられ分離する厚紙紙葉４５は台材Ｄの厚さによって表表紙３２から所定の間隔を以て分離しているために、図６（ｂ）に示すように最終見開きページの２ページ４２-3、４２-4を開放した際にも１８０°の平坦な状態で開放することができるように成っている。
【００１２】
【発明が解決しようとする課題】
ところで厚紙により製本された製本類、特に上記のような合紙本においては、合紙された各頁紙葉を捲った際に、その捲った頁紙葉の次の頁紙葉が持ち上がらず見開き２ページ分の開放角度が１８０°の平坦な状態に円滑に開放できるようにするためには、ページを捲っている間の外折れヒンジ板の退避スペースが必要であって上記のような台材Ｄが必要であり、そのために従来の合紙本は、実質の合紙冊子体４１の厚さに対応する台材Ｄの厚さ分だけ余分の厚味を必要としていた。
【００１３】
本発明の課題は上記不都合を解消することにあり、その発明の目的は厚紙により製本された製本類、特に上記のような合紙本などのページを捲っている間は、外折れヒンジ板の退避スペースを確保できるとともに、合紙本を閉じた際には退避スペースをコンパクトに解消できるようにすることにある。
【００１４】
【課題を解決するための手段】
本発明は、表表紙２と背表紙３と裏表紙４とからなるくるみ表紙１の前記表表紙２又は裏表紙４のいずれか一方内面に一体的に取り付けられた立体立ち起こし乃至平坦折り畳み可能な平行四辺形筒体２１と、該筒体２１の上面板に取付けた背部１３に外折れヒンジ板１６を備える冊子体１１とにより構成され、立体立ち起こし時の前記平行四辺形筒体２１の筒体厚さｈと前記冊子体１１の冊子厚さｔとの関係が、ほぼｈ＝ｔに設定されていることを特徴とする製本類である。
【００１５】
また本発明は、上記発明の製本類において、平坦折り畳み時の前記平行四辺形筒体２１の平坦折り畳み方向のサイズと、前記冊子体１１の小口方向のサイズがほぼ同じである製本類である。
【００１６】
また本発明は、上記発明の製本類において、前記冊子体１１が、ｎ枚の各々二つ折り紙葉１１-1、１１-2、１１-3、・・・１１-nを互いにその折目を揃えて重ね合わせ貼着した合紙体の背部１３側より先頭紙葉１１-1と末尾紙葉１１-nとに亘って連続被覆した紙葉１５を、前記背部１３部分と該背部幅ｄと同一幅の背部側の先頭紙葉１１-1部分とを非貼着領域ｅとしてそれ以外の被覆領域の前記先頭紙葉１１-1と末尾紙葉１１-nとに貼着して形成される各合紙頁１２-1、１２-2、１２-3、・・・１２-(n+1)を備える合紙冊子体である製本類である。
【００１７】
また本発明は、上記発明の製本類において、前記表表紙２又は裏表紙４のいずれか一方若しくは両方の小口側又は天地側の端縁部が、前記冊子体１１の端縁部より外側に延設されている製本類である。
【００１８】
【発明の実施の形態】
本発明の製本類を、図１（ａ）〜（ｂ）の本発明の製本類の側断面図に示す実施の形態に従って以下に詳細に説明する。
【００１９】
本発明の製本類は、図１（ａ）に示すように、表表紙２と背表紙３と裏表紙４とからなるくるみ表紙１と、前記表表紙２又は裏表紙４のいずれか一方内面に一体的に取り付けられた立体立ち起こし乃至平坦折り畳み可能な平行四辺形筒体２１と、該筒体２１の上面板に取付けた背部１３に外折れヒンジ板１６を備える冊子体１１（又は合紙冊子体）とにより構成されている。
【００２０】
くるみ表紙１は厚紙により形成され、表表紙２と背表紙３と裏表紙４のそれぞれ境界部分の折目は押し罫などによって開閉可能に形成されている。
【００２１】
平行四辺形筒体２１は、底面板２１ａ、背表紙３側の側面板２１ｂ、上面板２１ｃ、小口側の側面板２１ｄ、貼着板２１ｅにより形成され、折目を介して平坦に折り畳み可能であり、また、立体に立ち起こし可能となっていて、その立起高さｈと、上面板２１ｃの表面に貼着した冊子体１１の冊子厚さｔとは、ほぼ同じに設定されている。
【００２２】
冊子体１１は、図１（ａ）に示すように、例えばそれが合紙冊子体である場合は、複数枚の二つ折り紙葉、例えは４枚の厚紙による二つ折り紙葉１１-1、１１-2、１１-3、１１-4を、その二つ折りした折目を互いに揃えて重ね合わせ、その各々重ね合わせ内面を接着糊などにて貼着した合紙体と、該合紙体の外側に、その背部１３側より別の紙葉１５を重ね合わせ被覆した被覆紙葉１５により構成されている。
【００２３】
前記合紙冊子体１１は、図１（ｂ）に示すようにｎ枚の二つ折り紙葉１１-1、１１-2、１１-3、・・・１１-n、例えば４枚の二つ折り紙葉１１-1、１１-2、１１-3、１１-4と、その外側より被覆された紙葉１５との重ね合わせ内面を互いに貼着して形成されたｎ＋１枚の各合紙頁１２-1、１２-2、１２-3、・・・１２-(n+1)、例えば５枚の各合紙頁１２-1、１２-2、１２-3、１２-4、１２-5により構成されている。
【００２４】
そして、前記被覆紙葉１５は、前記背部１３部分との重ね合わせ被覆部分及び該背部１３の幅ｄと同一幅の背部側の先頭紙葉１１-1部分との重ね合わせ被覆部分を非貼着領域ｅ、それ以外の領域の重ね合わせ被覆部分、即ち先頭紙葉１１-1との重ね合わせ部分及び末尾紙葉１１-nとの重ね合わせ部分を貼着領域として、前記被覆紙葉１５が、先頭紙葉１１-1と末尾紙葉１１-nとに亘って貼着されている。
【００２５】
前記非貼着領域ｅの被覆紙葉１５は、その背部１３部分における折目１５ａ、１５ｂ、１５ｃを介して、各合紙頁１２-1、１２-2、１２-3、・・・１２-(n+1)を捲った際の外折れヒンジ板１６となる部分であり、折目１５ｂは外方に徐々に突出して、くるみ表紙１の背表紙３内面に当接して支点となる突出折目に相当する部分である。
【００２６】
また、本発明においては、冊子体１１は、上記のような合紙頁紙葉により構成された合紙冊子体でなくてもよい。
【００２７】
例えば、冊子体１１はｎ枚の各単一紙葉を用いて、中綴じ方式や平綴じ方式以外の糸かがり方式、無線綴じ方式、ホットメルト方式などの綴じ方式により、ｎ頁の頁紙葉１２-1、１２-2、１２-3、・・・１２-nによって構成されていてもよく、その場合の被覆紙葉１５は、合紙冊子体の場合と同様に、前記背部１３部分との重ね合わせ被覆部分及び該背部１３の幅ｄと同一幅の背部側の先頭頁紙葉１２-1部分との重ね合わせ被覆部分を非貼着領域ｅ、それ以外の領域の先頭頁紙葉１２-1との重ね合わせ部分及び末尾紙葉１２-nとの重ね合わせ部分を貼着領域として、前記被覆紙葉１５が先頭頁紙葉１２-1（合紙されていない単一枚の紙葉による頁紙葉）と末尾頁紙葉１２-n（合紙されていない単一枚の紙葉による頁紙葉）とに亘って貼着されている。なお、被覆紙葉１５は、必ずしも先頭頁紙葉１２-1と末尾頁紙葉１２-nのそれぞれ小口側まで貼着されている必要はなく、前記非貼着領域ｅよりも僅かに両外側部分にて先頭頁紙葉１２-1（合紙されていない単一枚の紙葉による頁紙葉）と末尾頁紙葉１２-n（合紙されていない単一枚の紙葉による頁紙葉）に貼着されていてもよい。
【００２８】
そして、合紙でない冊子体１１の前記非貼着領域ｅの被覆紙葉１５は、合紙冊子体の場合と同様に、その背部１３部分における折目１５ａ、１５ｂ、１５ｃを介して、各ｎ頁の頁紙葉１２-1、１２-2、１２-3、・・・１２-nを捲った際の外折れヒンジ板１６となる部分であり、折目１５ｂは外方に徐々に突出して、くるみ表紙１の背表紙３内面に当接して支点となる突出折目に相当する部分となる。
【００２９】
本発明の製本類は、図２（ａ）〜（ｄ）に示すように、くるみ表紙１の表表紙２又は裏表紙４のいずれか一方内面に立体立ち起こし乃至平坦折り畳み可能な平行四辺形筒体２１が一体的に取り付けられ、該筒体２１の上面板に合紙冊子体１１を取り付けたものであり、表表紙２を開放した後に合紙冊子体１１の各頁紙葉を開放する毎に、その冊子体１１の背部１３にある外折れヒンジ板１６は、一層外方に鋭角方向に折れ曲がって、その折目１５ｂ部分を徐々に外方に突出させ、くるみ表紙１の背表紙３内面に接触させて背表紙３の内面を押圧するので、外折れヒンジ板１６は、該ヒンジ板１６の突出する折目部分を支点とした前記平坦に折り畳まれている平行四辺形筒体２１を偏平筒体形状に立体立ち起こしするための支点アームとして作用する。
【００３０】
図２（ｂ）に示すように、まず表表紙２を開放した後に、先頭頁紙葉１２-1を捲ると、該先頭頁紙葉１２-1の厚紙１１-1に合紙されている他の１枚の厚紙紙葉１５は非貼着領域ｅによって形成された外折れヒンジ板１６が外方に折り曲げ分離し、また次の頁紙葉１２-2は背部１３にて１枚の厚紙１１-1によって互いに連結しているだけであるために開き易くなっており、次の頁紙葉１２-2は持ち上がることなく、先頭頁紙葉１２-1は次の頁紙葉１２-2に対してほぼ１８０°の角度で平坦に円滑に開放する。
【００３１】
また、先頭頁紙葉１２-1を捲ることによって外方に折り曲げられ分離した厚紙紙葉１５の外折れヒンジ板１６は、合紙冊子体１１本体の厚さｔによって表表紙２から所定の間隔を以て分離しているためにスペースが確保されて表表紙２とは接触せず先頭頁紙葉１２-1を水平状態に捲ることができる。
【００３２】
図２（ｃ）に示すように、次に頁紙葉１２-2を捲ると、該頁紙葉１２-2の厚紙１１-1に合紙されている次の頁紙葉１２-3の他の１枚の厚紙は背部１３にて１枚の厚紙によって互いに連結しているだけであるために前記同様に開き易くなっており、次の頁紙葉１２-3は持ち上がることなく、同様に頁紙葉１２-2は次の頁紙葉１２-3に対してほぼ１８０°の角度で平坦に円滑に開放できる。
【００３３】
また、厚紙紙葉１５の外折れヒンジ板１６の折目部分は一層鋭角に外方に折り曲げられて突出してくるみ表紙１の背表紙３内面に接触し、該背表紙３の内面を押圧するものの、該外折れヒンジ板１６は、該ヒンジ板１６の突出する折目１５ｂ部分を支点とする支点アームとして作用して、平坦に折り畳まれている平行四辺形筒体２１を徐々に立体立ち起こし、合紙冊子体１１本体の厚さｔとほぼ同じ高さｈまで偏平筒体形状に徐々に立ち起こす。
【００３４】
そのため、高さｈの偏平筒体形状に立ち起こされた前記平行四辺形筒体２１によって合紙冊子体１１背部側の外側には突出した外折れヒンジ板１６を退避させるスペースが確保でき、頁紙葉１２-2、１２-3を互いに水平状態に捲ることができる。
【００３５】
そして、次の頁紙葉１２-3、１２-4を捲る際にも同様に次の頁紙葉に対してほぼ１８０°の角度で平坦に円滑に開放でき、また、各頁紙葉を捲る毎に外方に向かって折り曲げられ分離する厚紙紙葉１５の外折れヒンジ板１６は高さｈの偏平筒体形状に立ち起こされた前記平行四辺形筒体２１によって合紙冊子体１１背部側の外側に形成されたスペースに収容されて退避させることができ、頁紙葉１２-3、１２-4を開放した際に１８０°の平坦な状態で開放することができ、また図２（ｄ）に示すように、最終見開きページの２ページ１２-4、１２-5（１２-n、１２-(n+1)を開放した際にも１８０°の平坦な状態で開放することができる。
【００３６】
上記製本類のくるみ表紙１、平行四辺形筒体２１、合紙冊子体１１に使用するフィルムやシート材料としては、厚紙、ダンボールシート、プラスチックシート（合成紙を含む）などが使用でき、また、厚さは特に限定されないが、例えば、二つ折り紙葉１１-1、１１-2、１１-3、・・・１１-n、被覆紙葉１５としては、１００〜１５０μｍのシート材料が使用でき、合紙頁紙葉１２-1、１２-2、１２-3、・・・１２-n、１２-(n+1)は、例えば、その２倍の厚さ２００〜３００μｍとなる。
【００３７】
図３（ａ）〜（ｂ）は、本発明の製本類における一実施例であり、（ａ）に示すように、くるみ表紙１の表表紙２と裏表紙４とを平行四辺形筒体２１及び合紙冊子体１１のそれぞれ小口側端部より小口側に、幅５のように長く延設して表裏表紙２、４に延設部２ａ、４ａを設けたものである。
【００３８】
この延設部２ａ、４ａにより挟まれた空間内には、キーボード（鍵盤）、絵の具セット、小冊子類など、製本類の内容に付帯する適宜な道具や用品類Ｂをその延設部２ａ、４ａのいずれかに一体的に取り付けることができる。
【００３９】
図４（ａ）〜（ｂ）は、本発明の製本類における他の実施例であり、図４（ａ）に示すように、くるみ表紙１の表表紙２と裏表紙４とを平行四辺形筒体２１及び合紙冊子体１１のそれぞれ天側若しくは地側の端部より天側若しくは地側に、幅５のように長く延設して表裏表紙２、４に延設部２ａ、４ａを設けたものであり、この延設部２ａ、４ａにより挟まれた空間内には、キーボード（鍵盤）、絵の具セット、小冊子類など、製本類の内容に付帯する適宜な道具や用品類Ｂをその延設部２ａ、４ａのいずれかに一体的に取り付けることができる。
【００４０】
【発明の効果】
本発明の製本類は、各頁紙葉を捲った際に、その捲った頁紙葉の次の頁紙葉が持ち上がらず、見開き２ページ分の開放角度が１８０°の平坦な状態に円滑に開放でき、また、頁を捲ることによって合紙冊子体の背部にある外折れヒンジ板が外方に突出して、その突出した折目先端部がくるみ表紙の背表紙内面に当接することにより平坦に折り畳まれていた平行四辺形の筒体を合紙冊子体の厚さに相当する高さまで立ち起こすことができ、合紙冊子体の背部にある前記外折れヒンジ板の退避スペースを確保することができる。
【００４１】
そして、頁を閉じた際には外折れヒンジ板は背部に密着して元の状態に復帰するとともに、平行四辺形の筒体も元の平坦な状態に折り畳まれて退避スペースを解消でき、外折れヒンジ板の退避スペース確保のための合紙本などの製本類の余分なスペースや余分な厚さを不要とすることができる効果がある。
【図面の簡単な説明】
【図１】（ａ）〜（ｂ）は本発明の製本類の実施の形態を説明する側断面図。
【図２】（ａ）〜（ｄ）は本発明の製本類の捲り状態を説明する側断面図。
【図３】（ａ）〜（ｂ）は本発明の製本類における他の実施例を説明する全体斜視図。
【図４】（ａ）〜（ｂ）は本発明の製本類におけるその他の実施例を説明する全体斜視図。
【図５】従来の合紙本の形態を説明する側断面図。
【図６】（ａ）〜（ｂ）は従来の合紙本の捲り状態を説明する側断面図。
【符号の説明】
Ａ…本発明の製本類  Ｂ…キーボード（鍵盤）  Ｃ…従来の合紙本  Ｄ…台材
１…くるみ表紙  ２…表表紙  ２ａ…延設部  ３…背表紙  ４…裏表紙
４ａ…延設部  ５…延設幅
１１…合紙冊子体  １１-1、〜１１-n…二つ折り紙葉  １２-1〜１２-n…頁紙葉１３…背部  １５…被覆紙葉  １５ａ、１５ｂ、１５ｃ…折目
１６…外折れヒンジ板
【図１】
0003858401.tif 000002
【図２】
0003858401.tif 000003
【図３】
0003858401.tif 000004
【図４】
0003858401.tif 000005
【図５】
0003858401.tif 000006
【図６】
0003858401.tif 000007